(57)【要約】【課題】目的や行為等の使用態様に応じて、湯水の温度、流量及び吐水形態等を速やかに選択可能な水栓装置を提供する。【解決手段】水栓装置１００は、湯水を吐水する吐水管１と、吐水管１から吐水する湯水の使用態様に応じて、複数の選択肢が表示された選択部５と、選択部５の複数の選択肢のうちいずれか一を選択可能な選択操作部８１と、を備え、選択肢には、湯水の温度、流量及び吐水形態の少なくともいずれかが対応付けられ、選択部５及び選択操作部８１は、吐水管１と一体として設けられていることを特徴とする。【選択図】図１
2018162596.tif 000002
【特許請求の範囲】
【請求項１】
湯水を吐水する吐水管と、
該吐水管から吐水する湯水の使用態様について、複数の選択肢が表示された選択部と、
該選択部の複数の選択肢のうちいずれか一を選択可能な選択操作部と、を備え、
各前記選択肢には、前記湯水の温度、流量及び吐水形態の少なくともいずれかが対応付けられていることを特徴とする水栓装置。
【請求項２】
前記選択部及び前記選択操作部は、前記吐水管と一体として設けられていることを特徴とする請求項１に記載の水栓装置。
【請求項３】
前記湯水の温度及び流量の少なくとも一方を表示する表示部を備えることを特徴とする請求項１または２に記載の水栓装置。
【請求項４】
前記湯水の温度及び流量の少なくとも一方を調整可能な手動操作部を備えることを特徴とする請求項１から３のいずれか一項に記載の水栓装置。
【請求項５】
前記選択操作部及び前記手動操作部は、同一のダイヤルで構成され、
前記選択操作部の操作及び前記手動操作部の操作は、前記ダイヤルの回転速度により切替可能であることを特徴とする請求項４に記載の水栓装置。
【発明の詳細な説明】
【技術分野】
【０００１】
本発明は、キッチンや浴室等に設置される水栓装置に関する。
【背景技術】
【０００２】
従来から、キッチンや浴室等には、湯水の温度や流量が変更可能とされたシングルレバー水栓のような水栓装置が設置されている。例えば、湯水の流量を調整可能なダイヤルと、湯水の温度を調整可能なダイヤルと、を備えた水栓装置が提案されている（下記特許文献１参照）。
【先行技術文献】
【特許文献】
【０００３】
【特許文献１】特開平４−２９８２５８号公報
【発明の概要】
【発明が解決しようとする課題】
【０００４】
しかしながら、上記の特許文献１に記載の水栓装置では、使用目的や行為等の態様に応じて、所望の温度や流量に調整するのに手間がかかる場合がある。例えば、手を洗ったり、野菜を洗ったりする際に、それぞれの行為の最適流量、最適温度が瞬間的に分からず、流量及び温度の調整に時間がかかってしまうという問題点がある。
【０００５】
そこで、本発明は、上記事情に鑑みてなされたものであり、目的や行為等の使用態様に応じて、湯水の温度、流量及び吐水形態等を速やかに選択可能な水栓装置を提供する。
【課題を解決するための手段】
【０００６】
上記目的を達成するために、本発明は以下の手段を採用している。
すなわち、本発明に係る水栓装置は、湯水を吐水する吐水管と、該吐水管から吐水する湯水の使用態様について、複数の選択肢が表示された選択部と、該選択部の複数の選択肢のうちいずれか一を選択可能な選択操作部と、を備え、各前記選択肢には、前記湯水の温度、流量及び吐水形態の少なくともいずれかが対応付けられていることを特徴とする。
【０００７】
このように構成された水栓装置では、選択部には、吐水管から吐水する湯水の使用態様について、複数の選択肢が表示されている。利用者は、選択操作部により選択部の複数の選択肢のうちいずれか一を選択する。よって、利用者は選択部に表示される複数の選択肢のうちいずれか一を選択すればよいため、使用態様に応じて、湯水の温度、流量及び吐水形態の少なくともいずれを速やかに選択（調整）することができる。
【０００８】
また、本発明に係る水栓装置は、前記選択部及び前記選択操作部は、前記吐水管と一体として設けられていることが好ましい。
【０００９】
このように構成された水栓装置では、選択部及び選択操作部は吐水管と一体として設けられている。よって、利用者は、吐水管の近傍で操作ができるため、選択操作部が吐水管と離れた位置にあるよりも、利便性が高い。
【００１０】
また、本発明に係る水栓装置は、前記湯水の温度及び流量の少なくとも一方を表示する表示部を備えていてもよい。
【００１１】
このように構成された水栓装置では、利用者は表示部を見て、湯水の温度及び流量の少なくとも一方を知ることができる。
【００１２】
また、本発明に係る水栓装置は、前記湯水の温度及び流量の少なくとも一方を調整可能な手動操作部を備えていてもよい。
【００１３】
このように構成された水栓装置では、利用者は手動操作部を操作して、湯水の温度及び流量の少なくとも一方を微調整することができる。
【００１４】
また、本発明に係る水栓装置は、前記選択操作部及び前記手動操作部は、同一のダイヤルで構成され、前記選択操作部の操作及び前記手動操作部の操作は、前記ダイヤルの回転速度により切替可能であってもよい。
【００１５】
このように構成された水栓装置では、ダイヤルの回転速度により、選択操作部の操作及び手動操作部の操作を切り替えることができる。
【発明の効果】
【００１６】
本発明に係る水栓装置によれば、目的や行為等の使用態様に応じて、湯水の温度、流量及び吐水形態等を速やかに選択することができる。
【図面の簡単な説明】
【００１７】
【図１】本発明の第一実施形態に係る水栓装置の斜視図である。
【図２】本発明の第一実施形態に係る水栓装置の操作ユニットの正面図である。
【図３】本発明の第一実施形態に係る水栓装置の概略構成図である。
【図４】本発明の第二実施形態に係る水栓装置の操作ユニットの正面図である。
【図５】本発明の第二実施形態に係る水栓装置の概略構成図である。
【図６】本発明の第三実施形態に係る水栓装置の概略構成図である。
【発明を実施するための形態】
【００１８】
（第一実施形態）
以下、本発明の第一実施形態に係る水栓装置について、図面を用いて説明する。
図１は、本発明の第一実施形態に係る水栓装置の斜視図である。
図１に示すように、本実施形態に係る水栓装置１００は、キッチンのシンク等に設置されるものである。水栓装置１００は、電気駆動により、湯水の流量調整及び温度調整が可能に構成されている。
【００１９】
水栓装置１００は、吐水管１と、吐水管１の先端に設けられた吐水口２と、吐水口２から吐水する湯水の温度及び流量を調整する調整バルブ２１（図３参照）と、吐水管１に一体的に設けられた操作ユニット３と、を備えている。
【００２０】
吐水管１は、下端１１が、シンクの縁の上面Ｔ等に設けられている。吐水管１は、下向きＵ字状をなしている。
【００２１】
吐水管１において、吐水口２近傍には、切替レバー１４が設けられている。切替レバー１４を周方向に回転させて、吐水口２から吐水する湯水の吐水形態を切り替えることができる。例えば、回転方向の一方向側がストレートに設定され、反対側がシャワーに設定されている。
【００２２】
吐水管１の下端１１と先端１２との間、詳細には、吐水管１の下端１１よりも上方であって湾曲部分１３よりも下方に、操作ユニット３が設けられている。
【００２３】
操作ユニット３は、円筒状をなす筐体４と、筐体４に設けられた表示ユニット４Ａと、吐水管１から吐水する湯水の温度及び流量を設定する選択ユニット４Ｂと、を有している。表示ユニット４Ａは、使用態様選択部（選択部）５と、温度／流量表示部（表示部）７と、流量選択部６と、を有している。選択ユニット４Ｂは、第一ダイヤル８と、第二ダイヤル９と、を有している。
【００２４】
使用態様選択部５には、吐水管１から吐水する湯水の使用態様について、複数の選択肢が表示されている。本実施形態では、各選択肢には、湯水の温度が対応付けられている。
【００２５】
図２は、操作ユニット３の正面図である。
図１及び図２に示すように、本実施形態では、使用態様選択部５は、操作ユニット３の正面視左側に設けられている。使用態様選択部５には、第一選択肢５１〜第三選択肢５３の３選択肢が記載されている。第一選択肢５１は、野菜の絵と「野菜洗い」の文字が記載され、野菜洗いに適した温度の選択肢である。第二選択肢５２は、食器の絵と「食器洗い」の文字が記載され、皿等の食器洗いに適した温度の選択肢である。第三選択肢５３は、手の絵と「手洗い」の文字が記載され、手洗いに適した温度の選択肢である。
【００２６】
下表には、各選択肢において、使用態様に対応する湯水の温度を示している。
例えば、第一選択肢（野菜洗い）５１では高温であり、第二選択肢（食器洗い）５２では中温であり、第三選択肢（手洗い）５３では、低温である。いずれの場合も流量は中程度である。
【００２７】
【表１】
2018162596.tif 000003
【００２８】
第一ダイヤル８は、使用態様選択部５の複数の選択肢のうちいずれか一を選択可能な選択操作部８１の機能を有している。本実施形態では、第一ダイヤル８は、操作ユニット３の正面視左端に設けられていて、筐体４に対して回転可能に構成されている。第一ダイヤル８の回転方向に対応して、使用態様選択部５の選択肢を選択可能とされている。第一ダイヤル８を手前側に回転させると、点灯箇所が第一選択肢５１から第二選択肢５２、第三選択肢５３へと移動していく。一方、第一ダイヤル８を奥側に回転させると、点灯箇所が第三選択肢５３から第二選択肢５２、第一選択肢５１へと移動していく。点灯箇所が、選択した選択肢を示している。
【００２９】
また、第一ダイヤル８は、吐水する湯水の温度を手動で適宜設定可能な温度操作部８２の機能も有している。例えば、１℃単位で温度設定をすることができる。
例えば、第一ダイヤル８をそのまま操作すると選択操作部８１と機能し、押して操作すると温度操作部８２として機能する構成であってもよい。あるいは、第一ダイヤル８の回転速度により、選択操作部８１と温度操作部８２の切替が可能な構成であってもよい。
【００３０】
流量選択部６は、操作ユニット３の正面視右側に設けられている。本実施形態では、流量選択部６には、第一流量選択肢６１〜第三流量選択肢６３の３選択肢が記載されている。第一流量選択肢６１は、三本線が記載され、流量が多いことを示した選択肢である。第二流量選択肢６２は、二本線が記載され、流量が中程度であることを示した選択肢である。第三流量選択肢６３は、一本線が記載され、流量が少ないことを示した選択肢である。
【００３１】
第二ダイヤル９は、流量選択部６の複数の選択肢のうちいずれか一を選択可能な流量操作部９１の機能を有している。本実施形態では、第二ダイヤル９は、操作ユニット３の正面視右側に設けられていて、筐体４に対して回転可能に構成されている。第二ダイヤル９の回転方向に対応して、流量選択部６の選択肢を選択可能とされている。第二ダイヤル９を手前側に回転させると、点灯箇所が第一流量選択肢６１から第二流量選択肢６２、第三流量選択肢６３へと移動していく。一方、第二ダイヤル９を奥側に回転させると、点灯箇所が第三流量選択肢６３から第二流量選択肢６２、第一流量選択肢６１へと移動していく。点灯箇所が、選択した選択肢を示している。
【００３２】
温度／流量表示部７は、湯水の温度及び流量の少なくとも一方を表示する。本実施形態では、温度／流量表示部７は、操作ユニット３の正面視中央に設けられている。温度／流量表示部７は、四角形状をなし、文字が点灯可能とされている。温度／流量表示部７の下方には、「設定」の文字が記載され、右方には流量の単位「Ｌ／ｍｉｎ」と温度の単位「℃」とが記載されている。一番直近に設定したのが湯水の温度であれば「℃」が点灯し、一番直近に設定したのが湯水の流量であれば「Ｌ／ｍｉｎ」が点灯する。
【００３３】
温度／流量表示部７には、湯水の温度または流量が表示される。例えば、第一ダイヤル８を筐体４側に押して操作すると、吐水する湯水の温度を手動で設定可能な状態となり、「設定」の文字が点灯し、設定した温度が数値として表示され、「℃」が点灯する。第一ダイヤル８を元の位置に戻すと、「設定」の文字は消灯し、設置した温度の数値表示及び「℃」は点灯したままである。その後、実際の湯水の温度が表示され、最終的には設定した温度になる。
【００３４】
図３は、水栓装置１００の概略構成図である。
さらに、水栓装置１００は制御部１０を備えている。制御部１０には、使用態様に応じた湯水の温度、流量及び吐水形態が記憶されている。
【００３５】
図１及び図３に示すように、第一ダイヤル８が選択操作部８１として機能するように操作されると、使用態様選択信号が制御部１０に送信される。制御部１０は、使用態様選択信号に基づいて、表示信号を使用態様選択部５に出力するとともに、温度調整信号を調整バルブ２１に出力する。使用態様選択部５は、制御部１０からの信号に基づいて、対応する選択肢を点灯させる。吐水口２からは、温度調整信号に対応する温度の湯水が吐水する。
【００３６】
一方、第一ダイヤル８が温度操作部８２として機能するように操作されると、温度信号が制御部１０に送信される。制御部１０は、温度信号に基づいて、表示信号を温度／流量表示部７に出力するとともに、温度調整信号を調整バルブ２１に出力する。温度／流量表示部７は、制御部１０からの信号に基づいて、温度表示を行う。吐水口２からは、温度調整信号に対応する温度の湯水が吐水する。
【００３７】
第二ダイヤル９が操作されると、流量選択信号が制御部１０に送信される。制御部１０は、流量選択信号に基づいて、表示信号を流量選択部６に出力するとともに、流量調整信号を調整バルブ２１に出力する。流量選択部６は、制御部１０からの信号に基づいて、対応する選択肢を点灯させる。吐水口２からは、流量調整信号に対応する流量の湯水が吐水する。
【００３８】
このように構成された水栓装置１００では、使用態様選択部５には、吐水管１から吐水する湯水の使用態様に応じて、第一選択肢５１〜第三選択肢５３の３選択肢が表示されている。利用者は、第一ダイヤル８を回転させて、第一選択肢５１〜第三選択肢５３のうちいずれか一を選択し点灯させる。よって、利用者は、湯水の使用態様に応じて、第一選択肢５１〜第三選択肢５３のうちいずれか一を選択すればよいため、速やかに選択することができる。
【００３９】
また、操作ユニット３は吐水管１の下端１１から先端１２の途中に設けられているため、湯水の温度及び流量の変更を、吐水管１の間近で行うことができる。よって、操作ユニット３が吐水管１と離れた位置にあるよりも、利便性が高い。
【００４０】
また、利用者は温度／流量表示部７を見て、湯水の温度または流量を知ることができる。
【００４１】
なお、吐水する湯水の流量を手動で適宜設定可能な構成であってもよい。例えば、第二ダイヤル９を押して操作すると、１Ｌ／ｍｉｎ単位で流量設定可能な構成であってもよい。第二ダイヤル９を筐体４側に押して操作すると、吐水する湯水の流量を手動で設定可能な状態となり、「設定」の文字が点灯し、設定した流量が数値として表示され、「Ｌ／ｍｉｎ」が点灯する。第二ダイヤル９を元の位置に戻すと、「設定」の文字は消灯し、設定した流量の数値表示及び「Ｌ／ｍｉｎ」は点灯したままである。
【００４２】
（第二実施形態）
次に、本発明の第二実施形態に係る水栓装置について、主に図４及び図５を用いて説明する。
以下の実施形態おいて、前述した実施形態で用いた部材と同一の部材には同一の符号を付して、その説明を省略する。
【００４３】
図４は、本発明の第二実施形態に係る水栓装置の操作ユニットの正面図である。図５は、本発明の第二実施形態に係る水栓装置の概略構成図である。
図４及び図５に示すように、本実施形態では、使用態様選択部５Ａには、吐水管１から吐水する湯水の使用態様について、複数の選択肢が表示されている。本実施形態では、各選択肢には、湯水の温度及び流量が対応付けられている。
【００４４】
使用態様選択部５Ａには、第一選択肢５１〜第五選択肢５５の５選択肢が記載されている。第一選択肢５１は、野菜の絵と「野菜洗い」の文字が記載され、野菜洗いに適した温度及び流量の選択肢である。第二選択肢５２は、食器の絵と「食器洗い」の文字が記載され、食器洗いに適した温度及び流量の選択肢である。第三選択肢５３は、手の絵と「手洗い」の文字が記載され、手洗いに適した温度及び流量の選択肢である。第四選択肢５４は、コップの絵と「水汲み（コップ）」の文字が記載され、コップで水を汲むのに適した温度及び流量の選択肢である。第五選択肢５５は、鍋の絵と「水汲み（鍋）」の文字が記載され、鍋で水を汲むのに適した温度及び流量の選択肢である。
【００４５】
下表には、各選択肢において、使用態様に対応する湯水の温度及び流量を示している。
例えば、第一選択肢（野菜洗い）５１では高温、中量であり、第二選択肢（食器洗い）５２では中温、中量であり、第三選択肢（手洗い）５３では、低温、少量であり、第四選択肢（水汲み（コップ））５４では、常温、少量であり、第五選択肢（水汲み（鍋））５５では、常温、多量である。
【００４６】
【表２】
2018162596.tif 000004
【００４７】
操作ユニット３の正面視左端には、第一スクロール８Ａが設けられている。第一スクロール８Ａは、使用態様選択部５Ａの複数の選択肢のうちいずれか一を選択可能な選択操作部８１の機能を有している。第一スクロール８Ａのスクロール方向に対応して、使用態様選択部５Ａの選択肢を選択可能とされている。図４に示す状態では、四角形の枠内に第三選択肢５３が表示されている。この状態から、第一スクロール８Ａを下方にスライドさせると、四角形の枠内に第二選択肢５２，第一選択肢５１が順次表示されていく。また、第一スクロール８Ａを上方にスライドさせると、四角形の枠内に第四選択肢５４，第五選択肢５５が順次表示されていく。四角形の枠内に表示されている選択肢が、選択した選択肢を示している。
【００４８】
第二ダイヤル９は、吐水する湯水の温度及び流量を手動で適宜設定可能な温度操作部８２及び流量操作部９１の機能を有している。例えば、１℃単位での温度設定及び１Ｌ／ｍｉｎ単位で流量設定をすることができる。
例えば、第二ダイヤル９をそのまま操作すると流量操作部９１として機能し、押して操作すると温度操作部８２として機能する構成であってもよい。
【００４９】
第二ダイヤル９をそのまま操作（筐体４側に押さずに操作）すると、吐水する湯水の流量を手動で設定可能な状態となり、「設定」の文字が点灯し、設定した流量が数値として表示され、「Ｌ／ｍｉｎ」が点灯する。第二ダイヤル９を元の位置に戻すと、「設定」の文字は消灯し、設定した流量の数値表示及び「Ｌ／ｍｉｎ」は点灯したままである。
【００５０】
また、第二ダイヤル９を筐体４側に押して操作すると、吐水する湯水の温度を手動で設定可能な状態となり、「設定」の文字が点灯し、設定した温度が数値として表示され、「℃」が点灯する。第二ダイヤル９を元の位置に戻すと、「設定」の文字は消灯し、設定した温度の数値表示及び「℃」は点灯したままである。その後、実際の湯水の温度が表示され、最終的には設定した温度になる。
【００５１】
第一スクロール８Ａが操作されると、使用態様選択信号が制御部１０に送信される。制御部１０は、使用態様選択信号に基づいて、表示信号を使用態様選択部５Ａに出力するとともに、温度調整信号及び流量調整信号を調整バルブ２１に出力する。使用態様選択部５Ａは、制御部１０からの信号に基づいて、枠内に表示された対応する選択肢を点灯させる。吐水口２からは、温度調整信号及び流量調整信号に対応する温度・流量の湯水が吐水する。
【００５２】
第二ダイヤル９が温度操作部８２として機能するように操作されると、温度信号が制御部１０に送信される。制御部１０は、温度信号に基づいて、表示信号を温度／流量表示部７に出力するとともに、温度調整信号を調整バルブ２１に出力する。温度／流量表示部７は、制御部１０からの信号に基づいて、温度表示を行う。吐水口２からは、温度調整信号に対応する温度の湯水が吐水する。
【００５３】
第二ダイヤル９が流量操作部９１として機能するように操作されると、流量信号が制御部１０に送信される。制御部１０は、流量信号に基づいて、表示信号を温度／流量表示部７に出力するとともに、流量調整信号を調整バルブ２１に出力する。温度／流量表示部７は、制御部１０からの信号に基づいて、温度表示を行う。吐水口２からは、流量調整信号に対応する流量の湯水が吐水する。
【００５４】
（第三実施形態）
次に、本発明の第三実施形態に係る水栓装置について、主に図６を用いて説明する。
以下の実施形態おいて、前述した実施形態で用いた部材と同一の部材には同一の符号を付して、その説明を省略する。
【００５５】
図６は、本発明の第三実施形態に係る水栓装置の概略構成図である。
図６に示すように、本実施形態では、使用態様選択部５Ｂには、吐水管１から吐水する湯水の使用態様について、複数の選択肢が表示されている。本実施形態では、各選択肢には、湯水の温度、流量及び吐水形態が対応付けられている。
【００５６】
下表には、各選択肢において、使用態様に対応する湯水の温度、流量及び吐水形態を示している。
例えば、「野菜洗い」の選択肢では高温、中量、シャワーであり、「食器洗い」の選択肢では中温、中量、シャワーであり、「手洗い」の選択肢では、低温、少量、泡沫であり、「水汲み（コップ）」の選択肢では、常温 、少量、ストレートであり、「水汲み（鍋）」の選択肢では、常温、多量、ストレートである。
【００５７】
【表３】
2018162596.tif 000005
【００５８】
温度／流量／吐水形態表示部７Ｂは、湯水の温度、流量及び吐水形態の少なくとも一を表示する。
【００５９】
吐水口２から吐水する湯水の吐水形態をシャワー、ストレート、泡沫に切り替え可能な切替部２２が設けられている。
【００６０】
第一スクロール８Ａが操作されると、使用態様選択信号が制御部１０に送信される。制御部１０は、使用態様選択信号に基づいて、表示信号を使用態様選択部５Ｂに出力するとともに、温度調整信号及び流量調整信号を調整バルブ２１に出力し、吐水形態信号を切替部２２に出力する。使用態様選択部５Ｂは、制御部１０からの信号に基づいて、対応する選択肢を点灯させる。吐水口２からは、温度調整信号、流量調整信号及び吐水形態信号に対応する温度、流量及び吐水形態の湯水が吐水する。
【００６１】
なお、上述した実施の形態において示した各構成部材の諸形状や組み合わせ等は一例であって、本発明の主旨から逸脱しない範囲において設計要求等に基づき種々変更可能である。
【００６２】
例えば、上記に示す実施形態では、水栓装置１００はキッチンに設置されているが、洗面所や浴室に設置される水栓装置にも適用可能である。この場合の使用態様に対応する湯水の温度、流量及び吐水形態の一例を下表に示す。
【００６３】
【表４】
2018162596.tif 000006
【００６４】
また、選択操作部８１として、ダイヤルを例に挙げて説明したが、本発明はこれに限られず、レバーやボタン等の接触操作であってもよく、さらにはモーションセンサによる非接触操作や、音声認識による操作が可能であってもよい。
【００６５】
止水後一定時間経過後に再吐水する際には、設定湯温のうち最低温度で吐水することが好ましい。また、高温出湯等の特定操作時には、警告音を発してから吐水を開始してもよい。
【００６６】
また、使用態様に応じた温度、流量及び吐水形態を、個人の好み等に応じて適宜調整できる構成であってもよい。
【符号の説明】
【００６７】
１…吐水管
２…吐水口
３…操作ユニット
４…筐体
５…使用態様選択部（選択部）
６…流量選択部
７…温度／流量表示部
８…第一ダイヤル
９…第二ダイヤル
５１…第一選択肢
５２…第二選択肢
５３…第三選択肢
６１…第一流量選択肢
６２…第二流量選択肢
６３…第三流量選択肢
８１…選択操作部
８２…温度操作部
９１…流量操作部
１００…水栓装置
【図１】
2018162596.tif 000007
【図２】
2018162596.tif 000008
【図３】
2018162596.tif 000009
【図４】
2018162596.tif 000010
【図５】
2018162596.tif 000011
【図６】
2018162596.tif 000012